(57)【要約】【課題】放送を移動しながら受信する受信装置で、ＧＰＳ受信機を用いることなく、チャンネルサーチ時間を短縮し、チャンネルサーチによる番組の視聴中断時間を短くする。【解決手段】選局制御部１４は、情報記憶部１２より中継局チャンネル一覧を取得し、チャンネル一覧をもとに放送受信部１１に選局チャンネルを指示し、サーチ対象放送とネットワークＩＤが一致するチャンネルをサーチする。該当するチャンネルが見つからなかった場合には、サーチしたチャンネルの中からサーチ対象放送の地域識別と異なる地域識別を有するチャンネルがあれば、該地域識別におけるサーチ対象放送と同じ系列ＩＤを有する放送局の中継局チャンネルを取得して、そのチャンネルをサーチする。【選択図】図１
2010258650.tif 000002
【特許請求の範囲】
【請求項１】
複数の放送局からの放送電波を選局し受信する放送受信部と、
前記複数の放送局に関する少なくとも、該放送局が放送を行っている地域を識別するための地域識別ＩＤと、前記放送局ごとに割り振られた前記放送局を識別するためのネットワークＩＤと、前記放送局の系列ごとに割り振られた前記放送局の系列を識別するための系列ＩＤと、前記放送局が中継するチャンネルを表す中継局チャンネル一覧を対応づけた放送局テーブルを記憶する情報記憶部と、
該情報記憶部より取得した特定放送局の前記中継局チャンネル一覧に基づいて前記放送受信部に選局チャンネルを指示し、各チャンネルの受信状態を判定する選局制御部
を備えた放送受信装置における放送受信方法であって、
現在受信中のチャンネルの受信状態を判定する受信状態判定ステップと、
該受信状態判定ステップでの判定の結果、前記受信状態が良好でないと判定された場合には、前記放送局テーブルに基づき前記受信中のチャンネルと前記ネットワークＩＤが一致するチャンネルを前記放送電波から検出する第１のサーチステップと、
該第１のサーチステップにおいて、前記ネットワークＩＤが一致するチャンネルを検出しない場合には、前記第１のサーチステップでサーチしたチャンネルの中に前記受信中のチャンネルと前記地域識別ＩＤが異なるチャンネルが存在するか否かを判定する地域識別ＩＤ判定ステップと、
該地域識別ＩＤ判定ステップでの判定の結果、該当チャンネルが存在すると判定された場合には、該チャンネルの地域識別ＩＤを有する前記放送局テーブルに前記受信中のチャンネルと前記系列ＩＤが一致する放送局が存在する否かを判定する系列ＩＤ判定ステップと、
該系列ＩＤ判定ステップでの判定の結果、該当する放送局が存在すると判定された場合には、前記放送局テーブルに基づき該放送局と前記系列ＩＤが一致するチャンネルを前記放送電波から検出する第２のサーチステップを有し、
該第２のサーチステップにおいて前記系列ＩＤが一致するチャンネルを検出した場合には、該チャンネルを選局し受信することを特徴とする放送受信方法。
【請求項２】
請求項１に記載の放送受信方法であって、前記第１のサーチステップにおいて、前記ネットワークＩＤが一致するチャンネルを検出した場合には、該チャンネルのうちで最も受信状態の良好なチャンネルを選局し受信することを特徴とする放送受信方法。
【請求項３】
請求項１に記載の放送受信方法であって、前記地域識別ＩＤ判定ステップでの判定の結果、該当チャンネルが存在しないと判定された場合には、前記第１のサーチステップでサーチしていないチャンネルをサーチし、検出したチャンネルのうち前記系列ＩＤが一致するチャンネルを選局し受信することを特徴とする放送受信方法。
【請求項４】
請求項１に記載の放送受信方法であって、前記系列ＩＤ判定ステップでの判定の結果、該当する放送局が存在しないと判定された場合には、前記第１のサーチステップでサーチしていないチャンネルをサーチし、検出したチャンネルのうち前記系列ＩＤが一致するチャンネルを選局し受信することを特徴とする放送受信方法。
【請求項５】
請求項１に記載の放送受信方法であって、前記第２のサーチステップにおいて、前記系列ＩＤが一致するチャンネルを検出しない場合には、前記第１のサーチステップおよび前記第２のサーチステップでサーチしていないチャンネルをサーチし、検出したチャンネルのうち前記系列ＩＤが一致するチャンネルを選局し受信することを特徴とする放送受信方法。
【請求項６】
請求項３乃至５のいずれか１項に記載の放送受信方法であって、前記チャンネルのサーチの結果、該当するチャンネルを検出しない場合には、改めて全てのチャンネルに対して前記系列ＩＤが一致するチャンネルをサーチすることを特徴とする放送受信方法。
【請求項７】
複数の放送局からの放送電波を選局し受信する放送受信装置であって、
複数の放送局からの放送電波を選局し受信する放送受信部と、
前記複数の放送局に関する少なくとも、該放送局が放送を行っている地域を識別するための地域識別ＩＤと、前記放送局ごとに割り振られた前記放送局を識別するためのネットワークＩＤと、前記放送局の系列ごとに割り振られた前記放送局の系列を識別するための系列ＩＤと、前記放送局が中継するチャンネルを表す中継局チャンネル一覧を対応づけた放送局テーブルを記憶する情報記憶部と、
該情報記憶部より取得した特定放送局の中継局チャンネル一覧に基づいて前記放送受信部に選局チャンネルを指示し、各チャンネルの受信状態を判定する選局制御部を有し、
該選局制御部は、
現在受信中のチャンネルの受信状態を判定し、
該受信状態の判定の結果、前記受信状態が良好でないと判定された場合には、前記放送局テーブルに基づき前記受信中のチャンネルと前記ネットワークＩＤが一致するチャンネルを前記放送電波から検出する第１のチャンネルサーチを行い、
該第１のチャンネルサーチにおいて、前記ネットワークＩＤが一致するチャンネルを検出しない場合には、前記第１のチャンネルサーチでサーチしたチャンネルの中に前記受信中のチャンネルと前記地域識別ＩＤが異なるチャンネルが存在するか否かを判定し、
該地域識別ＩＤの判定の結果、該当チャンネルが存在すると判定された場合には、該チャンネルの地域識別ＩＤを有する放送局に前記受信中のチャンネルと前記系列ＩＤが一致する放送局が存在する否かを判定し、
該系列ＩＤの判定の結果、該当する放送局が存在すると判定された場合には、前記放送局テーブルに基づき該放送局と前記系列ＩＤが一致するチャンネルを前記放送電波から検出する第２のチャンネルサーチを行い、
該第２のチャンネルサーチにおいて、前記系列ＩＤが一致するチャンネルを検出した場合には、該チャンネルを選局し受信するチャンネルとして設定するよう
前記放送受信部と前記情報記憶部を制御することを特徴とする放送受信装置。
【請求項８】
複数の放送局からの放送電波を選局し受信する放送受信装置であって、
視聴中の番組の受信が困難である場合にチャンネルサーチを開始し、該チャンネルサーチにより検出されたチャンネルの有する放送される地域を識別するための地域識別ＩＤが、前記受信困難となったチャンネルの地域識別ＩＤと異なり、または、前記放送局を管理する放送局テーブルに基づいて得た前記検出されたチャンネルの地域識別ＩＤが、前記受信困難となったチャンネルの地域識別ＩＤと異なる場合には、地域を移動したと判定することを特徴とする放送受信装置。
【発明の詳細な説明】
【技術分野】
【０００１】
本発明は、通信、放送を移動しながら受信する放送受信方法および放送受信装置に係り、特に地上デジタル放送を移動受信する際の、チャンネルサーチによる番組の視聴中断時間の短い放送受信方法および放送受信装置に関する。
【背景技術】
【０００２】
すべての映像・音声データがＭＰＥＧ２トランスポートストリーム形式で送られる日本の地上デジタル放送において、各放送局は放送地域内の隅々にまで電波が行き渡るように中継局の整備を進めている。同じ放送局内の各中継局が放送している番組内容は同じである。また各中継局は、デジタル混信による受信障害を回避することなどを目的として、互いに異なる送信周波数（チャンネル）を使用して放送している場合がある。
【０００３】
一方、日本のテレビ放送は地域ごとに放送局が異なっており、各地域の民放は地域間で系列と呼ばれるネットワークを構成し、番組共有などを行っている。このため、同じ系列に属する放送局（以下、同一系列局）では番組内容が同じである可能性が高い。
【０００４】
以上のことから、自動車などに搭載された車載受信機では、現在の受信エリアから他のエリアに移動すると受信可能な周波数が異なるために、それまで視聴していた番組が受信できなくなる場合がある。この場合、番組を継続受信するために中継局または同一系列局を見つけるためのチャンネルサーチを行う必要があるが、地上デジタル放送の全てのチャンネルをサーチすると多くの時間を要してしまう。この間は番組の視聴は中断される。
【０００５】
特許文献１では、ＧＰＳ受信機より取得した現在位置情報と地域ごとに設定されたチャンネルテーブルを用いることで、チャンネルサーチに要する時間を短縮する技術が開示されている。
【先行技術文献】
【特許文献】
【０００６】
【特許文献１】特開２００５−８６３６７号公報
【発明の概要】
【発明が解決しようとする課題】
【０００７】
しかしながら特許文献１では、現在位置情報を取得するためにＧＰＳ受信機を必要とするため、消費電力が増加し、受信機の規模が増加し、また受信機のコストが高くなる。
【０００８】
本発明は前記課題を解決するためになされたもので、その目的は、ＧＰＳ受信機を用いなくとも現在位置で継続視聴が可能な放送を素早くサーチし、チャンネルサーチによる番組の視聴中断時間の短い放送受信方法および放送受信装置を提供することにある。
【課題を解決するための手段】
【０００９】
前記目的を達成するため本発明は、複数の放送局からの放送電波を選局し受信する放送受信部と、前記複数の放送局に関する少なくとも、該放送局が放送を行っている地域を識別するための地域識別ＩＤと、前記放送局ごとに割り振られた前記放送局を識別するためのネットワークＩＤと、前記放送局の系列ごとに割り振られた前記放送局の系列を識別するための系列ＩＤと、前記放送局が中継するチャンネルを表す中継局チャンネル一覧を対応づけた放送局テーブルを記憶する情報記憶部と、該情報記憶部より取得した特定放送局の中継局チャンネル一覧に基づいて前記放送受信部に選局チャンネルを指示し、各チャンネルの受信状態を判定する選局制御部を備えた放送受信装置における放送受信方法であって、現在受信中のチャンネルの受信状態を判定する受信状態判定ステップと、該受信状態判定ステップでの判定の結果、前記受信状態が良好でないと判定された場合には、前記放送局テーブルに基づき前記受信中のチャンネルと前記ネットワークＩＤが一致するチャンネルを前記放送電波から検出する第１のサーチステップと、該第１のサーチステップにおいて、前記ネットワークＩＤが一致するチャンネルを検出しない場合には、前記第１のサーチステップでサーチしたチャンネルの中に前記受信中のチャンネルと前記地域識別ＩＤが異なるチャンネルが存在するか否かを判定する地域識別ＩＤ判定ステップと、該地域識別ＩＤ判定ステップでの判定の結果、該当チャンネルが存在すると判定された場合には、該チャンネルの地域識別ＩＤを有する放送局に前記受信中のチャンネルと前記系列ＩＤが一致する放送局が存在する否かを判定する系列ＩＤ判定ステップと、該系列ＩＤ判定ステップでの判定の結果、該当する放送局が存在すると判定された場合には、前記放送局テーブルに基づき該放送局と前記系列ＩＤが一致するチャンネルを前記放送電波から検出する第２のサーチステップを有し、該第２のサーチステップにおいて前記系列ＩＤが一致するチャンネルを検出した場合には、該チャンネルを選局し受信することを特徴としている。
【００１０】
また本発明は、複数の放送局からの放送電波を選局し受信する放送受信装置であって、複数の放送局からの放送電波を選局し受信する放送受信部と、前記複数の放送局に関する少なくとも、該放送局が放送を行っている地域を識別するための地域識別ＩＤと、前記放送局ごとに割り振られた前記放送局を識別するためのネットワークＩＤと、前記放送局の系列ごとに割り振られた前記放送局の系列を識別するための系列ＩＤと、前記放送局が中継するチャンネルを表す中継局チャンネル一覧を対応づけた放送局テーブルを記憶する情報記憶部と、該情報記憶部より取得した特定放送局の中継局チャンネル一覧に基づいて前記放送受信部に選局チャンネルを指示し、各チャンネルの受信状態を判定する選局制御部を有し、該選局制御部は、現在受信中のチャンネルの受信状態を判定し、該受信状態の判定の結果、前記受信状態が良好でないと判定された場合には、前記放送局テーブルに基づき前記受信中のチャンネルと前記ネットワークＩＤが一致するチャンネルを前記放送電波から検出する第１のチャンネルサーチを行い、該第１のチャンネルサーチにおいて、前記ネットワークＩＤが一致するチャンネルを検出しない場合には、前記第１のチャンネルサーチでサーチしたチャンネルの中に前記受信中のチャンネルと前記地域識別ＩＤが異なるチャンネルが存在するか否かを判定し、該地域識別ＩＤの判定の結果、該当チャンネルが存在すると判定された場合には、該チャンネルの地域識別ＩＤを有する放送局に前記受信中のチャンネルと前記系列ＩＤが一致する放送局が存在する否かを判定し、該系列ＩＤの判定の結果、該当する放送局が存在すると判定された場合には、前記放送局テーブルに基づき該放送局と前記系列ＩＤが一致するチャンネルを前記放送電波から検出する第２のチャンネルサーチを行い、該第２のチャンネルサーチにおいて、前記系列ＩＤが一致するチャンネルを検出した場合には、該チャンネルを選局し受信するチャンネルとして設定するよう前記放送受信部と前記情報記憶部を制御することを特徴としている。
【００１１】
また本発明は、複数の放送局からの放送電波を選局し受信する放送受信装置であって、視聴中の番組の受信が困難である場合にチャンネルサーチを開始し、該チャンネルサーチにより検出されたチャンネルの有する放送される地域を識別するための地域識別ＩＤが、前記受信困難となったチャンネルの地域識別ＩＤと異なり、または、前記放送局を管理する放送局テーブルに基づいて得た前記検出されたチャンネルの地域識別ＩＤが、前記受信困難となったチャンネルの地域識別ＩＤと異なる場合には、地域を移動したと判定することを特徴としている。
【発明の効果】
【００１２】
本発明によれば、ＧＰＳ受信機を用いなくとも、現在位置で受信可能なサーチ前に受信していた放送（以下、サーチ対象放送）と同一系列局のチャンネルを素早くサーチでき、チャンネルサーチによる番組の視聴中断時間の短い放送受信方法および放送受信装置を提供できるという効果がある。
【図面の簡単な説明】
【００１３】
【図１】本発明の実施の形態に係るデジタル放送受信装置の一実施例を示す構成図である。
【図２】地域識別と地域の対応関係を示した図である。
【図３】情報記憶部１２に記憶される放送局テーブル３０の一例を示す図である。
【図４】本発明の実施の形態に係るデジタル放送受信装置のチャンネルサーチ動作の一例を説明するための図である。
【図５】本発明の実施の形態に係るデジタル放送受信装置のチャンネルサーチ動作の一例を示すフローチャートである。
【図６】本発明の実施の形態に係るデジタル放送受信装置のチャンネルサーチ動作の別な例を示す別のフローチャートである。
【発明を実施するための形態】
【００１４】
以下、本発明の実施の形態につき図面に基づいて説明する。
図１は、本発明の実施の形態に係るデジタル放送受信装置の一実施例を示す構成図である。このデジタル放送受信装置は、放送アンテナ１０、放送受信部１１、情報記憶部１２、チャンネル情報取得部１３、選局制御部１４を含んでいる。
【００１５】
図１において、放送アンテナ１０は放送電波を受信し、受信した放送信号を放送受信部１１に供給する。放送受信部１１は放送アンテナ１０より供給された放送信号の中から、選局制御部１４より指示されたチャンネルを選局すると共に、選局したチャンネルの受信状態や番組情報を検出して選局制御部１４に供給する。ここで受信状態とは、同期状態やＣＮＲ（Carrier to Noise Ratio）、誤り訂正処理でのビット誤り率やパケット誤り率、ＡＧＣ（Auto Gain Control）制御電圧、ＭＥＲ（Modulation Error Ratio）などから算出される値である。また番組情報とは、ＮＩＴ（Network Information Table）やＢＩＴ（Broadcaster Information Table）などの情報である。ＮＩＴ情報にはネットワークＩＤ（放送局ごとに独立したＩＤが割り振られており、放送局の識別が可能）や地域識別（各放送局が放送を行っている地域を識別可能、図２に示す）、ＢＩＴ情報には系列ＩＤ（系列ごとに独立したＩＤが割り振られており、系列の識別が可能）などが記載されている。
【００１６】
情報記憶部１２は、図３に示すように各放送局についてネットワークＩＤ、系列ＩＤ、中継局チャンネル一覧、地域識別を対応付けた放送局テーブル３０を記憶している。
チャンネル情報取得部１３は、選局制御部１４より指示された放送局名や放送地域などの情報をもとに、情報記憶部１２から所望の中継局チャンネル一覧を取得し、選局制御部１４に供給する。
【００１７】
選局制御部１４は、チャンネル情報取得部１３より取得した中継局チャンネル一覧をもとに、放送受信部１１に対して選局すべきチャンネルを指示すると共に、受信できた場合は放送受信部１１より選局を指示したチャンネルの受信状態や番組情報を取得し、このチャンネルがサーチ対象放送の中継局または同一系列局であるかどうかを判定する。
【００１８】
以下、具体的な動作例を挙げて説明する。図４は、本発明の実施の形態に係るデジタル放送受信装置のチャンネルサーチ動作を説明するための一例を示す図である。
図４において、デジタル放送受信装置はまず、Ａ地域を放送地域とする「Ａ１放送」の番組をある中継局（図３に示すように１３、１５、１９、２５、３６チャンネルのうちのいずれか）からの電波を受信して視聴しているものとする。この時、放送受信部１１は「Ａ１放送」を選局・受信すると共に、「Ａ１放送」の受信状態を検出して選局制御部１４に供給する。選局制御部１４は、放送受信部１１より供給された「Ａ１放送」の受信状態をチェックする。
【００１９】
自動車が移動し、デジタル放送受信装置が当該中継局のエリアを外れたとする。選局制御部１４は、放送受信部１１より供給された「Ａ１放送」の受信状態が所定の閾値よりも悪くなったことを検出すると、チャンネルサーチ動作を開始する。
デジタル放送受信装置は、視聴中の番組の受信状態が悪くなるとチャンネルサーチを開始する。この際に受信可のチャンネルがあって、かつ、このチャンネルがこれまで視聴していた番組の地域識別と異なる地域識別を有する場合、または放送局テーブル３０からこのチャンネルのネットワークＩＤに対応付けられた地域識別が視聴していた番組の地域識別と異なる場合は、その地域識別が示す地域に移動したと判断することができる。
【００２０】
図５は、本発明の実施の形態に係るデジタル放送受信装置のチャンネルサーチ動作の一例を示すフローチャートである。
たとえば「Ａ１放送」のチャンネル１５を受信していた受信装置が受信状態の劣化を検出し、チャンネルサーチを開始すると、まずステップＳ５０１およびＳ５０２によってサーチ対象放送である「Ａ１放送」と番組内容が同じである中継局をサーチする。具体的には、選局制御部１４はチャンネル情報取得部１３に「Ａ１放送」の中継局チャンネル一覧を取得するように指示する。チャンネル情報取得部１３は、選局制御部１４からの指示に基づき、情報記憶部１２に記憶されている放送局テーブル３０より「Ａ１放送」の中継局チャンネル一覧（１３、１５、１９、２５、３６チャンネル）を取得し、選局制御部１４に供給する。選局制御部１４は、チャンネル情報取得部１３より取得した「Ａ１放送」の中継局チャンネル一覧をもとに放送受信部１１に選局するチャンネルを指示すると共に、受信できた場合は放送受信部１１より受信状態やＮＩＴ情報を取得する。選局制御部１４は、取得したＮＩＴ情報に記載されているネットワークＩＤが、「Ａ１放送」のネットワークＩＤ（＝０ｘＡ１）と一致するかどうかを判定し（ステップＳ５０２）、一致する場合は（図中のＹＥＳ）中継局が見つかったと判断し、このチャンネルを選局・受信する（ステップＳ５０３）。他のチャンネルについてもサーチを行い、一致するチャンネルが複数見つかった場合は、受信状態が最も良いチャンネルを受信する。たとえば前記した「Ａ１放送」のチャンネルのうち、２５チャンネルの受信状態が最も良好なら、２５チャンネルを選択して受信する。もし、全ての中継局チャンネルをサーチしても受信できなかった、またはネットワークＩＤが受信できても一致するチャンネルが見つからなかった場合は（ステップＳ５０２のＮＯ）、「Ａ１放送」には受信可能な中継局が見つからなかったと判断し、続いて「Ａ１放送」の同一系列局を見つけるためのステップＳ５０４に進む。
【００２１】
ステップＳ５０４では、先のステップＳ５０１でサーチした中継局チャンネルの中に、「Ａ１放送」の地域識別（＝１（Ａ地域））とは異なる地域識別を有するチャンネルが存在するかどうかを判定する。存在する場合は（図中のＹＥＳ）ステップＳ５０５に進み、存在しない場合（ステップＳ５０４のＮＯ）は、ステップＳ５０５〜Ｓ５０７をスキップしてステップＳ５０８に進む。ここで、地域識別はＮＩＴ情報に記載されており、ステップＳ５０１で各チャンネルのＮＩＴ情報を取得した際に確認することができる。また、異なる地域識別を有するチャンネルが複数存在した場合は、受信状態が最も良いチャンネルの地域識別を選択する。
【００２２】
図４の例では、チャンネルサーチを開始した場所において「Ｂ３放送」が「Ａ１放送」の中継局チャンネル一覧に含まれているのと同じ１３チャンネルで放送しているため、ステップＳ５０１で１３チャンネルをサーチした際にもし受信できれば「Ｂ３放送」のＮＩＴ情報が取得でき、このためステップＳ５０４では、Ｂ地域（＝２）が得られることになる。このほか「Ａ１放送」のチャンネルでは、１９と３６チャンネルがＣ地域の「Ｃ１放送」にもあるため、これがステップＳ５０１で受信されることがあるが、ここでは「Ｂ３放送」の１３チャンネルの方が受信状態は良いために、これを選択する場合を述べる。
【００２３】
ステップＳ５０５〜Ｓ５０７では、ステップＳ５０４の該当地域を放送地域としている「Ａ１放送」の同一系列局をサーチする。以降、この該当地域がＢ地域であるとして説明する。ここで、ステップＳ５０１の処理でＢ地域を放送地域とするチャンネルが見つかったということは、自車位置がＢ地域またはその付近にいると考えられ、従ってＢ地域における「Ａ１放送」の同一系列局をサーチすれば、受信可能な同一系列局が見つかる可能性が高いと言える。
【００２４】
具体的には、選局制御部１４はチャンネル情報取得部１３に対して、Ｂ地域を放送地域とし「Ａ１放送」の系列ＩＤ（＝０）と同じ放送局の中継局チャンネル一覧を取得するように指示する。チャンネル情報取得部１３は、選局制御部１４からの指示に基づき、情報記憶部１２に記憶されている放送局テーブル３０より、該当する放送局が存在するかどうかを調べ（ステップＳ５０５）、存在する場合は（図中のＹＥＳ）該当放送局の中継局チャンネル一覧を選局制御部１４に供給する。図３の放送局テーブル３０では「Ｂ１放送」がこれに該当し、２２、２３、４１、４２チャンネルが選局制御部１４に供給される。選局制御部１４は、チャンネル情報取得部１３より取得した「Ｂ１放送」の中継局チャンネル一覧をもとに放送受信部１１に選局チャンネルを指示すると共に、受信できた場合は放送受信部１１より受信状態とＢＩＴ情報を取得する（ステップＳ５０６）。選局制御部１４は、取得したＢＩＴ情報に記載されている系列ＩＤが、「Ａ１放送」の系列ＩＤ（＝０）と一致するかどうかを判定し（ステップＳ５０７）、一致する場合は（図中のＹＥＳ）「Ａ１放送」の同一系列局が見つかったと判断し、このチャンネルを選局・受信する（ステップＳ５０３）。一致するチャンネルが前記４つのうちから複数見つかった場合は、受信状態が最も良いチャンネルを受信する。たとえば４１チャンネルが最も良好ならば、４１チャンネルを選択して受信する。もし、「Ｂ１放送」の全ての中継局チャンネルをサーチしても受信できなかった場合（ステップＳ５０７のＮＯ）、または系列ＩＤが受信できても一致するチャンネルが見つからなかった場合（ステップＳ５０５のＮＯ）は、受信可能な同一系列局が見つからなかったと判断し、さらに「Ａ１放送」の同一系列局を見つけるためのステップＳ５０８に進む。
【００２５】
ステップＳ５０８では、地上デジタル放送の１３〜６２チャンネルまでの全チャンネルから、ステップＳ５０１およびＳ５０６でサーチしたチャンネルを除いた残りのチャンネルについて、「Ａ１放送」の同一系列局をサーチする。
具体的には、選局制御部１４は、これら残りのチャンネルについて順番に放送受信部１１に選局チャンネルを指示すると共に、受信できた場合は放送受信部１１より各チャンネルのＢＩＴ情報を取得し、系列ＩＤが「Ａ１放送」の系列ＩＤ（＝０）と一致するかどうかを判定し（ステップＳ５０９）、一致する場合は「Ａ１放送」の同一系列局が見つかったと判断し、このチャンネルを選局・受信する（ステップＳ５０３）。もし、全てのチャンネルをサーチしても一致するチャンネルが見つからなかった場合は、受信可能な「Ａ１放送」の同一系列局が見つからなかったと判断し、サーチ失敗時の処理（ステップＳ５１０）に進む。
【００２６】
ステップＳ５１０では、サーチ前に受信していた「Ａ１放送」のチャンネルに選局を戻し、あるいは「Ａ１放送」の中継局や同一系列局が見つかるまでステップＳ５０１〜Ｓ５１０のチャンネルサーチ動作を繰り返すなどの処理を行う。その結果、「Ａ１放送」の中継局や同一系列局が見つからない場合には、それまで受信していた「Ａ１放送」に係らず、受信できた放送のうちのいずれか（たとえばそのうち最も受信状態の良いチャンネル）を受信しても良い。
【００２７】
以上のように本発明の実施の形態によれば、まずこれまで受信していたサーチ対象放送（ここでは「Ａ１放送」）の中継局をサーチする（ここでは１３、１５，１９、２５、３６チャンネル）。受信可能な中継局が見つからなかった場合は、中継局をサーチする際に取得したＮＩＴ情報をもとに各チャンネルの地域識別を調べ、サーチ対象放送の地域識別と異なる地域識別を有するチャンネルが存在する場合には（ここでは１３チャンネル）、自車位置が該当地域（ここではＢ地域）またはその付近にいると考えられ、従って該当地域におけるサーチ対象放送と系列ＩＤ（ここでは０）の等しい同一系列局（ここでは「Ｂ１放送」）の中継局チャンネルをサーチする。これにより、ＧＰＳ受信機を用いなくとも現在位置で受信可能な同一系列局のチャンネル（ここでは２２、２３、４１、４２チャンネル）を素早くサーチすることができる。このためチャンネルサーチによる放送視聴の中断時間を短くすることができる。
【００２８】
また、ステップＳ５０４の処理については、以下のようにしても良い。
図６は、本発明の実施の形態に係るデジタル放送受信装置のチャンネルサーチ動作の別な一例を示す別のフローチャートである。これは、図５のフローチャートのステップＳ５０４をステップＳ６０１に置き換えたものである。他のステップについては図５と同様であるため、説明を省略する。ステップＳ６０１では、放送局テーブル３０を参照し、先のステップＳ５０１でサーチした中継局チャンネルのネットワークＩＤに対応付けられた地域識別につき、「Ａ１放送」の地域識別と異なるチャンネルが存在するかどうかを判定する。存在する場合はステップＳ５０５に進み、存在しない場合はステップＳ５０５〜Ｓ５０７をスキップしてステップＳ５０８に進む。図５のステップＳ５０４はチャンネルサーチで得た情報に基づいて判定したのに対し、図６のステップＳ６０１は放送局テーブル３０に基づいて判定する点が異なる。以上で説明した処理を行うことで、ステップＳ５０４と同様の動作とすることができる。
【００２９】
ここまで説明に用いた実施形態は一例であって、本発明を限定するものではない。たとえばブロック構成図やフローチャートについて、本発明の趣旨のもとで様々な変更を加えた例が考えられるが、いずれも本発明の範疇にある。
【符号の説明】
【００３０】
１０…放送アンテナ、１１…放送受信部、１２…情報記憶部、１３…チャンネル情報取得部、１４…選局制御部、３０…放送局テーブル。
【図１】
2010258650.tif 000003
【図２】
2010258650.tif 000004
【図３】
2010258650.tif 000005
【図４】
2010258650.tif 000006
【図５】
2010258650.tif 000007
【図６】
2010258650.tif 000008